(57)【要約】【課題】低温の外部環境において優れた起動性能を有する燃料電池システムを提供する。【解決手段】正電極及び負電極によって挟まれた電解質膜を含み、電解質膜へ燃料ガス及び酸化剤ガスを供給することによって発電を行う燃料電池スタック１０を備え、燃料電池の内部の水分量を示す状態量を測定するためのセンサ２６（３４，３６）を備え、センサ２６（３４，３６）によって状態量を測定し、測定された状態量に基づいて燃料電池の内部の水分量を評価しつつ燃料電池の内部の水分量を低減させる処理を行う。【選択図】図１
2006324066.tif 000002
【特許請求の範囲】
【請求項１】
正電極及び負電極によって挟まれた電解質膜を含み、前記電解質膜へ燃料ガス及び酸化剤ガスを供給することによって発電を行う燃料電池、を備えた燃料電池システムにおいて、
前記燃料電池の内部の水分量を示す状態量を測定するためのセンサを備え、
前記センサによって測定された状態量から評価された前記燃料電池の内部の水分量に基づいて前記燃料電池の内部の水分量を低減させる処理を行うことを特徴とする燃料電池システム。
【請求項２】
請求項１に記載の燃料電池システムにおいて、
前記センサは前記燃料電池の出力電圧を測定する電圧センサであって、
前記電解質膜の水分量と前記燃料電池の出力電圧との相関関係を示す水分−電圧相関テーブルを参照して、前記電圧センサで測定された出力電圧に基づいて前記電解質膜の現在の水分量を決定し、当該電解質膜の現在の水分量に応じて前記燃料電池の内部の水分量を低減させる処理を行うことを特徴とする燃料電池システム。
【請求項３】
請求項１に記載の燃料電池システムにおいて、
前記センサは前記燃料電池の内部抵抗を測定する抵抗センサであって、
前記電解質膜の水分量と前記燃料電池の内部抵抗との相関関係を示す水分−抵抗相関テーブルを参照して、前記抵抗センサで測定された内部抵抗に基づいて前記電解質膜の現在の水分量を決定し、当該電解質膜の現在の水分量に応じて前記燃料電池の内部の水分量を低減させる処理を行うことを特徴とする燃料電池システム。
【請求項４】
請求項１に記載の燃料電池システムにおいて、
前記センサは前記燃料電池から排出されるガスの水分を測定する水分センサであって、
前記水分センサで測定されたガスの水分に基づいて前記燃料電池の内部の水分量を低減させる処理を行うことを特徴とする燃料電池システム。
【請求項５】
請求項２に記載の燃料電池システムにおいて、
前記電圧センサで測定された出力電圧を前記燃料電池の累積発電時間に応じて補正した補正出力電圧を求め、前記電圧センサで測定された出力電圧の代わりに前記補正出力電圧に基づいて前記電解質膜の現在の水分量を求めることを特徴とする燃料電池システム。
【請求項６】
請求項３に記載の燃料電池システムにおいて、
前記抵抗センサで測定された内部抵抗を前記燃料電池の累積発電時間に応じて補正した補正内部抵抗を求め、前記抵抗センサで測定された内部抵抗の代わりに前記補正内部抵抗に基づいて前記電解質膜の現在の水分量を求めることを特徴とする燃料電池システム。
【請求項７】
請求項１〜６のいずれか１つに記載の燃料電池システムにおいて、
前記燃料電池の内部の水分量を低減させる処理は、前記燃料電池へ供給されるガスの加湿量の低減、又は、冷媒による前記燃料電池の温度の調整であることを特徴とする燃料電池システム。
【請求項８】
請求項１〜７のいずれか１つに記載の燃料電池システムにおいて、
前記燃料電池の周辺の外部温度を測定する温度センサを備え、
前記温度センサで測定された外部温度から予想される推定温度に基づいて決定される目標水分量以下となるまで前記燃料電池の内部の水分量を低減させる処理を行うことを特徴とする燃料電池システム。
【請求項９】
請求項１〜８のいずれか１つに記載の燃料電池システムにおいて、
前記センサにより測定された水分量に基づいて前記燃料電池内部の水分量を低減させる処理を停止することを特徴とする燃料電池システム。
【発明の詳細な説明】
【技術分野】
【０００１】
本発明は、低温の外部環境において優れた起動性能を有する燃料電池システムに関する。
【背景技術】
【０００２】
水素等の燃料ガスと酸素等の酸化剤ガスとを電解質膜に供給することによって電気エネルギーを得る燃料電池システムでは、電解質膜に高いイオン伝導性を発揮させるために通常の運転時には電解質膜の水分量を適切に調整しておく必要がある。
【０００３】
特許文献１には、燃料電池システムの停止時に外部温度が低下した場合に、燃料電池の内部で水分が凍結してしまうことによる燃料電池の破損を防ぐ技術が開示されている。この文献では、燃料電池システムを停止させる前に、アノード及びカソードにそれぞれ乾燥した燃料ガス又は酸化剤ガスを供給しながら通常の発電時よりも小さい出力電流を取り出す。この処理によって電解質膜を乾燥させた状態で運転を停止させ、燃料電池の内部での水分の凍結を防いでいる。乾燥処理時には、供給されるガスの含有水分量、電気化学反応による生成水分量及び燃料電池スタックから排出される排出水分量とのバランスによって決定される残留水分量を外部温度及び湿度により決定される電解質膜に保持可能な水分量に一致させるための乾燥処理時間を設定し、その乾燥処理時間だけガスに含有される水分を調整する。
【０００４】
【特許文献１】特開２００４−１１１１９６号公報
【発明の開示】
【発明が解決しようとする課題】
【０００５】
特許文献１に記載の技術では、乾燥処理を行う前に予め処理時間を設定しているので、燃料電池システムを停止させる際に乾燥処理を行ったとしても、燃料電池システムを次に始動させる際に凍結を十分に抑制することができなかった。また、燃料電池の内部の水分量をリアルタイムで評価しつつ乾燥処理を行うものではないので、燃料電池の内部の水分量を十分に低減できず再起動時に凍結が起こるおそれ、又は、乾燥処理が必要以上に長くなり過剰に乾燥されるおそれがあった。
【０００６】
本発明は、上記従来技術の課題の少なくとも１つを解決できる燃料電池システムを提供することを目的とする。
【課題を解決するための手段】
【０００７】
本発明は、正電極及び負電極によって挟まれた電解質膜を含み、前記電解質膜へ燃料ガス及び酸化剤ガスを供給することによって発電を行う燃料電池、を備えた燃料電池システムにおいて、前記燃料電池の内部の水分量を測定するためのセンサを備え、前記センサによって測定された水分量に基づいて前記燃料電池の内部の水分量を低減させる処理を行うことを特徴とする。
【０００８】
このとき、前記燃料電池内部の水分量を低減させる低減処理の実行中に、前記センサにより水分量を測定し、測定された水分量に基づいて前記低減処理を行うことが好ましい。
【０００９】
このように、前記燃料電池の内部の水分量を低減させる処理を行う間、リアルタイムで前記燃料電池の内部の水分量を評価しつつ前記燃料電池の内部の水分量を低減させる処理を行うことによって、短い処理時間で水分量を必要十分な程度に適切に調整することができる。
【００１０】
例えば、前記センサを前記燃料電池の出力電圧を測定する電圧センサとして、前記電解質膜の水分量と前記燃料電池の出力電圧との相関関係を示す水分−電圧相関テーブルを参照して、前記電圧センサで測定された出力電圧に基づいて前記電解質膜の現在の水分量を決定し、当該電解質膜の現在の水分量に応じて前記燃料電池の内部の水分量を低減させる処理を行うことが好ましい。
【００１１】
また、例えば、前記センサを前記燃料電池の内部抵抗を測定する抵抗センサとして、前記電解質膜の水分量と前記燃料電池の内部抵抗との相関関係を示す水分−抵抗相関テーブルを参照して、前記抵抗センサで測定された内部抵抗に基づいて前記電解質膜の現在の水分量を決定し、当該電解質膜の現在の水分量に応じて前記燃料電池の内部の水分量を低減させる処理を行うことも好ましい。
【００１２】
燃料電池の出力電圧及び内部抵抗は、燃料電池に含まれる電解質膜の水分量を直接的に示す状態量である。そこで、これらの状態量と電解質膜の水分量との関係を示す相関テーブルを予め用意しておき、燃料電池の出力電圧又は内部抵抗の実測値に基づいて電解質膜の現在の水分量を求めることができる。これにより、現在の水分量を確認しつつ燃料電池の内部の水分量を低減させる処理を行うことができる。したがって、適切な処理時間で燃料電池の内部の水分量を必要十分な程度に適切に調整することができる。その結果、燃料電池を再起動させる際に燃料電池の内部の水分が凍結することを防ぐことができる。
【００１３】
また、例えば、前記センサは前記燃料電池から排出されるガスの水分を測定する水分センサであって、前記水分センサで測定されたガスの水分に基づいて前記燃料電池の内部の水分量を低減させる処理を行うことも好ましい。
【００１４】
燃料電池から排出されるガスの湿度は、燃料電池の内部の水分量を直接的に示す状態量である。そこで、ガスの湿度に基づいて燃料電池の内部の水分量を低減させる処理を行うことができる。これによって、適切な処理時間で燃料電池の内部の水分量を必要十分な程度に適切に調整することができる。したがって、燃料電池を再起動させる際に、燃料電池の内部の水分が凍結することを防ぐことができる。
【００１５】
また、前記電圧センサで測定された出力電圧を前記燃料電池の累積発電時間に応じて補正した補正出力電圧を求め、前記電圧センサで測定された出力電圧の代わりに前記補正出力電圧に基づいて前記電解質膜の現在の水分量を求めることが好適である。
【００１６】
また、前記抵抗センサで測定された内部抵抗を前記燃料電池の累積発電時間に応じて補正した補正内部抵抗を求め、前記抵抗センサで測定された内部抵抗の代わりに前記補正内部抵抗に基づいて前記電解質膜の現在の水分量を求めることも好適である。
【００１７】
燃料電池の出力電圧及び内部抵抗は、燃料電池を使用した累積発電時間による経時的な劣化の影響を受ける。そこで、累積発電時間に応じて、燃料電池の出力電圧及び内部抵抗の実測値を補正した補正値を求め、その補正値に基づいて燃料電池の内部の水分量を低減させる処理を行うことによって、経時的な劣化による影響を補償した過不足の無い処理を行うことが可能となる。
【００１８】
ここで、前記燃料電池の内部の水分量を低減させる処理は、前記燃料電池へ供給されるガスの加湿量の低減、又は、冷媒による前記燃料電池の温度の調整とすることができる。ただし、これらは例示であり、前記燃料電池の内部の水分量を低減させることができる処理であれば適用することができる。
【００１９】
また、前記燃料電池の周辺の外部温度を測定する温度センサを備え、前記温度センサで測定された外部温度から予想される推定温度に基づいて決定される目標水分量以下となるまで前記燃料電池の内部の水分量を低減させる処理を行うことが好適である。具体的には、前記センサにより測定された水分量に基づいて前記燃料電池内部の水分量を低減させる処理を停止する。
【００２０】
推定温度は、燃料電池システムを再起動する時点の温度の予測値である。外部温度の変化が小さいと予想される場合には、燃料電池システムの停止直前における外部温度を推定温度とすることが好適である。また、外部温度の変化が大きいと予想される場合には、外部環境の温度の経時的変化のパターンを示す温度変化パターンテーブルに基づいて、燃料電池システムの停止前の外部温度の経時的な変化パターンに応じて推定温度を決定することも好適である。温度変化パターンテーブルは、燃料電池システムが使用される環境下において外部温度の経時的変化のパターンを予め計測したものである。
【００２１】
一般的に電解質膜の内部に存在する水分は凍結しないとされている。そこで、燃料電池を推定温度において再起動させた後、水分が凍結しない温度まで燃料電池が暖機されるまでに、電解質膜の内部に含有される水分量が電解質膜に含有可能な飽和水分量に到達しないようにすることが好ましい。すなわち、再起動開始時から暖機終了時までの発電によって電解質膜の水分量が飽和水分量に到達しない程度の水分量を目標水分量として、燃料電池を停止させる前に電解質膜の水分量を低減させておくことが好ましい。これによって、低温下において燃料電池を再起動させた場合でも、燃料電池の暖機が終了するまでに電解質膜の水分量が飽和水分量を超えることがなくなり、燃料電池の内部での電解質膜以外の部分において水分が凍結することを防ぐことができる。
【発明の効果】
【００２２】
本発明によれば、低温の外部環境において優れた起動性能を有する燃料電池システムを提供することができる。
【発明を実施するための最良の形態】
【００２３】
＜第１の実施の形態＞
本発明の実施の形態における燃料電池システム１００は、図１に示すように、燃料電池スタック１０、燃料ガスボンベ１２、燃料ガス流量調整器１４、燃料ガス加湿器１６、酸化剤ガスボンベ１８、酸化剤ガス流量調整器２０、酸化剤ガス加湿器２２、冷却剤ポンプ２４、電圧センサ２６、外部温度センサ３０及び制御部３２を含んで構成される。燃料電池システム１００は、例えば、電気自動車やハイブリッド自動車に適用される。
【００２４】
燃料電池スタック１０は、単一の燃料電池セルにより、又は、複数の燃料電池セルを直列に積層して構成される。燃料電池セルは、固体高分子等の電解質膜を正電極及び負電極によって挟んだ構造を有する。複数の燃料電池セルを積層する場合には、互いに隣接する燃料電池セルの正電極と負電極とを電気的に接触させるように積層する。この燃料電池セルに対して水素等の燃料ガスと酸素等の酸化剤ガスとを供給すると、燃料ガスと酸化剤ガスとの電気化学反応によって電気エネルギーが発生する。この電気エネルギーが燃料電池スタック１０の両端の電極から出力される。また、電気化学反応によって水が生成されて電解質膜が加湿される。
【００２５】
燃料電池スタック１０には、各燃料電池セルへ燃料ガス及び酸化剤ガスを供給するための燃料ガス流路と酸化剤ガス流路とが設けられる。
【００２６】
燃料電池スタック１０の燃料ガス流路には、燃料ガス流量調整器１４を介して燃料ガスボンベ１２が取り付けられる。燃料ガスは、例えば、水素ガスを含有するガスとされる。燃料ガス流量調整器１４は、制御部３２から燃料流量制御信号を受けて、燃料電池スタック１０に供給される燃料ガスの流量を調整する。さらに、燃料ガス流量調整器１４と燃料電池スタック１０との間に燃料ガス加湿器１６が設けられる。燃料ガス加湿器１６は、制御部３２からの燃料湿度制御信号を受けて、燃料ガスボンベ１２から燃料電池スタック１０へと供給される燃料ガスの湿度を調整する。
【００２７】
また、燃料電池スタック１０の酸化剤ガス流路には、酸化剤ガス流量調整器２０を介して酸化剤ガスボンベ１８が取り付けられる。酸化剤ガスは、酸素を含む空気等のガスとされる。酸化剤ガスを空気とする場合には、酸化剤ガスボンベ１８を設ける代わりに外気から空気を供給してもよい。酸化剤ガス流量調整器２０は、制御部３２から酸化剤流量制御信号を受けて、燃料電池スタック１０に供給される酸化剤ガスの流量を調整する。さらに、酸化剤ガス流量調整器２０と燃料電池スタック１０との間に酸化剤ガス加湿器２２が設けられる。酸化剤ガス加湿器２２は、制御部３２からの酸化剤湿度制御信号を受けて、酸化剤ガスボンベ１８から燃料電池スタック１０へと供給される酸化剤ガスの湿度を調整する。
【００２８】
燃料電池スタック１０に供給された燃料ガス及び酸化剤ガスは電気化学反応によって消費される。消費されなかった燃料ガス及び酸化剤ガスは燃料電池スタック１０に設けられたガス排出路から排出される。なお、燃料電池スタック１０から排出された燃料ガスを燃料電池スタック１０へ再度循環させる再循環手段を設けることも好適である。
【００２９】
また、燃料電池スタック１０には、燃料電池セルの温度を調整するための冷却剤が燃料電池スタック１０内を循環するように冷却剤流路が設けられる。燃料電池スタック１０の冷却剤流路の入口には冷却剤ポンプ２４が接続される。冷却剤ポンプ２４は、制御部３２からの冷却剤制御信号を受けて、外部から供給される水やエチレングリコール等の冷却剤を冷却剤制御信号に応じた流量となるように制御して燃料電池スタック１０へ供給する。燃料電池スタック１０は、冷却剤の供給によって冷却される。冷却剤は、冷却剤流路の出口から燃料電池スタック１０の外部へ排出される。
【００３０】
また、燃料電池スタック１０には、燃料電池スタック１０の出力電圧Ｖｏｕｔを測定するための電圧センサ２６が設けられる。電圧センサ２６は、燃料電池スタック１０の外部端子の正極及び負極の間の電圧を測定可能に設置される。電圧センサ２６の出力信号は制御部３２に入力される。
【００３１】
外部温度センサ３０は、燃料電池スタック１０を取り巻く外部環境の外部温度Ｔｏｕｔを測定する。外部温度センサ３０は、外気温を測定するためのセンサであり、車載機器の排熱の影響を受け難い箇所、例えば車両内部への空気取り込み口等、に取り付けられるのが好ましい。外部温度センサ３０の出力信号は制御部３２に入力される。
【００３２】
制御部３２は、燃料電池システム１００の制御を統合的に行うために設けられる。制御部３２は、ＣＰＵ、半導体メモリ等を含んでなるマイクロコンピュータで構成することができる。制御部３２は、電圧センサ２６及び外部温度センサ３０から信号を受けて、これらの信号に応じて燃料電池システム１００の制御を行う。制御部３２による制御は、記憶部に格納及び保持されたテーブルに基づいて行われる。具体的には、制御部３２は、セル内の水分量を推定し、推定された水分量に応じてセル内の水分量を低減させるための処理を実行する。
【００３３】
本実施の形態では、電解質膜の水分量Ｗと燃料電池スタックの出力電圧Ｖｏｕｔとの相関関係を示す水分−電圧相関テーブルが用いられる。一般的な燃料電池スタック１０では、図２に示すように、電解質膜の水分量Ｗが増加するにつれて出力電圧Ｖｏｕｔが高くなる傾向を示す。
【００３４】
また、本実施の形態では、燃料電池の内部の水分量を低減する処理を行う際の目標となる水分量とされる目標水分量を設定するための目標水分量テーブルが用いられる。一般的に電解質膜の内部に存在する水分は凍結しないとされている。燃料電池を再起動させた場合に、水分が凍結しない温度まで燃料電池が暖機されるまでの間に、燃料電池の発電反応による水分の発生や供給されるガスに含有される水分の供給等によって電解質膜に含有される水分量は増加する。そこで、目標水分量は、燃料電池の暖機が終了するまでの間に増加する電解質膜の水分量を電解質膜の内部に含有可能な飽和水分量から差し引いた値に設定することが好ましい。
【００３５】
燃料電池システム１００がおかれた外部温度Ｔｏｕｔが低いほど、燃料電池の暖機が終了するまでの時間は長くなる。すなわち、燃料電池の再起動処理において燃料電池の暖機が終了するまでの間に増加する電解質膜の水分量は再起動時の温度が低いほど多くなる。したがって、図３に示すように、燃料電池の再起動を行う時点の推定温度Ｔｐｒｅが低いほど、燃料電池を停止させる時点での電解質膜に含まれる目標水分量Ｗｃは低く設定することが好ましい。
【００３６】
水分−電圧相関テーブル及び目標水分量テーブルは、燃料電池システム１００と同等の燃料電池システムを用いて予め測定され、燃料電池システム１００の制御部３２に設けられた記憶部に格納及び保持される。
【００３７】
次に、燃料電池システム１００の制御方法について説明する。本実施の形態における燃料電池システム１００の制御は、燃料電池の内部において水分が凍結することを防ぐために燃料電池システム１００を停止させる前に行われる。ユーザ等から燃料電池システム１００の停止命令を受けると制御部３２は図４に示す処理を開始する。
【００３８】
ステップＳ１０では、燃料電池スタック１０の出力電圧Ｖｏｕｔが測定される。制御部３２は、燃料電池システム１００を運転状態に維持した状態で、電圧センサ２６により測定された燃料電池スタック１０の出力電圧Ｖｏｕｔを取得する。
【００３９】
ステップＳ１２では、燃料電池システム１００を運転状態に維持した状態で、燃料電池スタック１０の外部温度Ｔｏｕｔが測定される。制御部３２は、外部温度センサ３０によって測定された燃料電池スタック１０の外部温度Ｔｏｕｔを取得する。
【００４０】
ステップＳ１４では、測定された出力電圧Ｖｏｕｔに基づいて燃料電池の電解質膜が有する現在の水分量Ｗｎが求められる。制御部３２は、水分−電圧相関テーブルを参照して、ステップＳ１０で得られた燃料電池スタック１０の出力電圧Ｖｏｕｔに対応する水分量を現在の燃料電池の電解質膜の水分量Ｗｎとする。
【００４１】
このように、電解質膜の水分量Ｗと燃料電池スタック１０の出力電圧Ｖｏｕｔとの相関関係を示す水分−電圧相関テーブルを予め準備しておくことによって、電圧センサ２６で測定された出力電圧Ｖｏｕｔに基づいて現時点での電解水分量Ｗｎを推定することができる。
【００４２】
また、燃料電池システム１００が備える燃料電池は長時間の使用に伴って劣化することが知られている。そこで、測定された出力電圧Ｖｏｕｔに基づいて電解質膜の現在の水分量Ｗｎを求める際に燃料電池システム１００の劣化を考慮することが好適である。
【００４３】
図５に、燃料電池システム１００の累積発電時間に対する燃料電池スタック１０の出力電圧Ｖｏｕｔの変化を示す。この燃料電池システム１００の累積発電時間に対する燃料電池スタック１０の出力電圧Ｖｏｕｔの変化は、燃料電池システム１００と同等の燃料電池システムを用いて予め測定され、制御部３２の記憶部に劣化測定テーブルとして格納及び保持することができる。また、燃料電池システム１００の累積発電時間に対する燃料電池スタック１０の出力電圧Ｖｏｕｔの変化は、燃料電池システム１００の発電中（使用中）の出力電圧Ｖｏｕｔの変化から取得してもよい。
【００４４】
また、制御部３２にシステムクロックを内蔵して、燃料電池システム１００の累積発電時間を測定可能な構成とする。制御部３２は、測定された出力電圧Ｖｏｕｔに累積発電時間に応じた劣化分の電圧値ΔＶを加算した補正後の出力電圧Ｖｃｍｐを求める。そして、水分−電圧相関テーブルを参照して、出力電圧Ｖｏｕｔの代わりに補正後の出力電圧Ｖｃｍｐに対応する電解質膜の現在の水分量Ｗｎを求める。
【００４５】
このように、燃料電池スタック１０の劣化を考慮して電解質膜の水分量Ｗｎを求めることによって、燃料電池の内部の水分量を低減させる処理をより適切に行うことができる。
【００４６】
また、出力電圧Ｖｏｕｔの絶対値を用いるのではなく、図６に示すように、処理の初期の出力電圧Ｖｏｕｔからの出力電圧Ｖｏｕｔの変化量ΔＶｔに基づいて現在の電解質膜の水分量Ｗｎを抽出することも好適である。このように変化量ΔＶｔを用いて電解質膜の水分量Ｗｎを求めることによって、燃料電池スタック１０の劣化による出力電圧Ｖｏｕｔの絶対値の変化に影響されることなく処理を行うことができる。
【００４７】
ステップＳ１６では、ステップＳ１２で測定された外部温度Ｔｏｕｔに基づいて燃料電池システム１００を再起動する時点における外部環境の推定温度Ｔｐｒｅが推定される。
【００４８】
燃料電池システム１００の停止時と再起動時とにおいて外部環境の温度変化が小さいと予想される場合、ステップＳ１２で測定された外部温度Ｔｏｕｔをそのまま推定温度Ｔｐｒｅとすることが好適である。
【００４９】
また、燃料電池システム１００の停止時と再起動時とにおいて外部環境の温度変化が大きいと予想される場合、燃料電池システム１００の使用環境下における外部温度Ｔｏｕｔの経時的変化のパターンを予め測定して温度変化パターンテーブルとして記憶部に格納及び保持しておくことが好適である。この場合、制御部３２は、電解質膜の現在の水分量を求める時点より前、又は、処理を開始する時点より前の通常の運転時に外部温度Ｔｏｕｔを継続的に取得しておき、外部温度Ｔｏｕｔの経時的な履歴に近似する温度変化パターンテーブルを選択して、現時点の外部温度Ｔｏｕｔに応じて推定温度Ｔｐｒｅを決定することができる。
【００５０】
ステップＳ１８では、燃料電池の内部の水分量を低減させる処理が必要か否かが判断される。制御部３２は、記憶部に予め保持されている目標水分量テーブルを参照して、ステップＳ１６で推定された推定温度Ｔｐｒｅに対応する目標水分量Ｗｃを求める。そして、現時点での電解水分量Ｗｎが推定温度Ｔｐｒｅにおける目標水分量Ｗｃを超えているか否かを判定する。電解水分量Ｗｎが目標水分量Ｗｃを超えている場合にはステップＳ２０に処理を移行させ、電解水分量Ｗｎが目標水分量Ｗｃ以下である場合には燃料電池システム１００を停止させて処理を終了する。
【００５１】
なお、目標水分量テーブルの代わりに、再起動時の外部温度Ｔｏｕｔと再起動時に凍結を生じない初期電圧Ｖｏｕｔとの関係を予め目標出力電圧テーブルとして準備しておくことも好適である。この場合、目標水分量Ｗｃと現在の水分量Ｗｎとの比較に代えて、目標水分量Ｗｃに対応する出力電圧Ｖｃと現在の水分量Ｗｎに対応する出力電圧Ｖｏｕｔとを比較して処理を行うか否かを判定する。
【００５２】
ステップＳ２０では、燃料電池の内部の水分量を低減させる処理が行われる。処理は幾つかの方法で行うことができる。第１の方法では、制御部３２は、燃料ガス加湿器１６へ燃料湿度制御信号を送信して、燃料ガスボンベ１２から燃料電池スタック１０へと供給される燃料ガスの含有水分を現在の運転時よりも低下させる。このとき、制御部３２は、燃料ガス流量調整器１４へ燃料流量制御信号を送信して、燃料ガスボンベ１２からの燃料ガスの供給流量を調整することも好適である。
【００５３】
第２の方法では、制御部３２は、酸化剤ガス加湿器２２へ酸化剤湿度制御信号を送信して、酸化剤ガスボンベ１８から燃料電池スタック１０へと供給される酸化剤ガスの含有水分を現在の運転時よりも低下させる。このとき、制御部３２は、酸化剤ガス流量調整器２０へ酸化剤流量制御信号を送信して、酸化剤ガスボンベ１８が取り付けられる。酸化剤ガス流量調整器２０は、制御部３２から酸化剤流量制御信号からの酸化剤ガスの供給流量を調整することも好適である。
【００５４】
第１の方法及び第２の方法では、燃料電池スタック１０へ供給される水分を減少させることによって、電気化学反応による生成水分量及び燃料電池スタックから排出される排出水分量に対するバランスを変化させて燃料電池の内部の水分量を減少させる。
【００５５】
第３の方法では、制御部３２は、冷却剤ポンプ２４へ冷却剤制御信号を送信して、燃料電池に供給される冷却剤の流量又は温度を調整する。具体的には、冷却剤の流量を現在よりも低下させる、又は、冷却剤の温度を現在よりも上昇させる。これにより、燃料電池スタック１０の内部温度Ｔｉｎが上昇し、電解質膜の飽和水分量が低下する。これによって、電解質膜から放出された水分が排ガスと共に燃料電池の外部に排出されて、燃料電池の内部の水分量が低減される。
【００５６】
このとき、燃料電池システム１００に内部温度センサ２８を設けておくことも好適である。内部温度センサ２８は、燃料電池スタック１０の内部温度Ｔｉｎを測定する。測定された内部温度Ｔｉｎは制御部３２へ送信される。制御部３２は、内部温度センサ２８によって測定された燃料電池スタック１０の内部温度Ｔｉｎに応じて冷却剤の流量又は温度を調整することが好適である。
【００５７】
なお、第１〜第３の方法を同時に行うことによって燃料電池の内部の水分量を素早く低減させることが可能である。しかしながら、第１の方法、第２の方法、第３の方法を独立に行ってもよいし、適宜組み合わせ行ってもよい。さらに、既存の他の方法を適宜組み合わせて燃料電池の内部の水分量を低減させてもよい。
【００５８】
燃料電池システム１００の運転条件を変更することによって、燃料電池の内部の水分量が低減する。すなわち、燃料電池スタック１０のガス供給路等に残留する水分が低減されると共に、電解質膜に含有される水分もしだいに低減される。ステップＳ２０において運転条件を変更した後、ステップＳ１０に処理を戻す。ステップＳ１０以降では、燃料電池スタック１０の出力電圧Ｖｏｕｔ及び外部温度Ｔｏｕｔが再度測定され、電解質膜の水分量Ｗｎが目標水分量Ｗｃ以下となるまで燃料電池の内部の水分量を低減させる処理が続けられる。
【００５９】
以上のように、本実施の形態では、燃料電池の出力電圧を測定することによって、出力電圧と電解質膜の含有水分量との関係に基づいて電解質膜に含有水分量をリアルタイムで評価しながら低減させることができる。したがって、短い処理時間で電解質膜に含まれる水分量を必要十分な目標水分量まで低減させることができる。
【００６０】
また、燃料電池システムを停止させた後に低温下で再起動させる際に、燃料電池の内部の水分が凍結しない温度まで暖機されるまでに電解質膜の水分量が飽和水分量に達することがなくなり、飽和水分量を超えた水分が電解質膜から放出されて燃料電池の内部で凍結することを防ぐことができる。したがって、低温の外部環境において優れた起動性能を有する燃料電池システムを実現することができる。
【００６１】
なお、本実施の形態では、外部温度Ｔｏｕｔに基づいて推定温度Ｔｐｒｅを推定し、その推定温度Ｔｐｒｅに応じた目標水分量Ｗｃを決定したが、外部温度Ｔｏｕｔに関わらず目標水分量Ｗｃを所定の値に固定してもよい。例えば、燃料電池システム１００が使用される環境下において予想される最低の外部温度に応じた目標水分量Ｗｃとする。この場合、外部温度センサ３０を設ける必要はなく、ステップＳ１２及びＳ１６の処理も不要となる。
【００６２】
＜第２の実施の形態＞
第２の実施の形態について説明する。本実施の形態では、燃料電池スタック１０の出力電圧の代わりに内部抵抗を用いて処理を行う。
【００６３】
燃料電池システム１０２は、図７に示すように、燃料電池スタック１０、燃料ガスボンベ１２、燃料ガス流量調整器１４、燃料ガス加湿器１６、酸化剤ガスボンベ１８、酸化剤ガス流量調整器２０、酸化剤ガス加湿器２２、冷却剤ポンプ２４、抵抗センサ３４、外部温度センサ３０及び制御部３２を含んで構成される。燃料電池システム１０２は、例えば、電気自動車やハイブリッド自動車に適用される。
【００６４】
燃料電池システム１０２は、抵抗センサ３４を除いて上記の燃料電池システム１００と同様の構成を有する。ここでは、燃料電池システム１００との相違点を中心に説明を行う。
【００６５】
燃料電池スタック１０には、燃料電池スタック１０の内部抵抗Ｒｉｎを測定するための抵抗センサ３４が設けられる。抵抗センサ３４は、例えば、既存の高周波重畳型の抵抗センサで構成され、燃料電池スタック１０の外部端子の正極及び負極の間の内部抵抗を測定可能に設置される。抵抗センサ３４の出力信号は制御部３２に入力される。
【００６６】
制御部３２は、抵抗センサ３４から信号を受けて、信号に応じて燃料電池システム１０２の制御を行う。制御部３２による制御は、記憶部に格納及び保持されたテーブルに基づいて行われる。
【００６７】
本実施の形態では、電解質膜の水分量Ｗと燃料電池セルの内部抵抗Ｒｉｎとの相関関係を示す水分−抵抗相関テーブルが用いられる。一般的な燃料電池スタック１０では、図８に示すように、電解質膜の水分量Ｗが増加するにつれて内部抵抗Ｒｉｎが低くなる傾向を示す。
【００６８】
水分−抵抗相関テーブルは、燃料電池システム１０２と同等の燃料電池システムを用いて予め測定され、燃料電池システム１０２の制御部３２に設けられた記憶部に格納及び保持される。
【００６９】
次に、燃料電池システム１０２の制御方法について説明する。燃料電池スタック１０の出力電圧の代わりに内部抵抗を用いて燃料電池の内部の水分量を低減させる処理が行われる。本実施の形態における燃料電池システム１０２の制御は、燃料電池の内部において水分が凍結することを防ぐために燃料電池システム１０２を停止させる前に行われる。ユーザ等から燃料電池システム１０２の停止命令を受けると制御部３２は図９に示す処理を開始する。
【００７０】
ステップＳ３０では、燃料電池スタック１０の内部抵抗Ｒｉｎが測定される。制御部３２は、燃料電池システム１０２を運転状態に維持した状態で、抵抗センサ３４により測定された燃料電池スタック１０の内部抵抗Ｒｉｎを取得する。
【００７１】
ステップＳ３２では、燃料電池システム１０２を運転状態に維持した状態で、燃料電池スタック１０の外部温度Ｔｏｕｔが測定される。制御部３２は、外部温度センサ３０によって測定された燃料電池スタック１０の外部温度Ｔｏｕｔを取得する。
【００７２】
ステップＳ３４では、測定された内部抵抗Ｒｉｎに基づいて電解質膜が有する現在の水分量Ｗｎが求められる。制御部３２は、記憶部に保持されている水分−抵抗相関テーブルを参照し、ステップＳ３０で得られた燃料電池スタック１０の内部抵抗Ｒｉｎに対応する水分量を現在の電解質膜の水分量Ｗｎとする。
【００７３】
このように、電解質膜の水分量Ｗと燃料電池セルの内部抵抗Ｒｉｎとの相関関係を示す水分−抵抗相関テーブルを予め準備しておくことによって、抵抗センサ３４で測定された内部抵抗Ｒｉｎに基づいて現時点での電解水分量Ｗｎを推定することができる。
【００７４】
また、燃料電池システム１０２が備える燃料電池スタック１０は長時間の使用に伴って劣化することが知られている。そこで、燃料電池スタック１０の劣化を考慮して電解質膜の水分量Ｗｎを求めることも好適である。図１０に、燃料電池システム１０２の累積発電時間に対する燃料電池スタック１０の内部抵抗Ｒｉｎの変化を示す。この燃料電池システム１０２の累積発電時間に対する燃料電池スタック１０の内部抵抗Ｒｉｎの変化は、燃料電池システム１０２と同等の燃料電池システムを用いて予め測定され、制御部３２の記憶部に劣化測定テーブルとして格納及び保持される。また、制御部３２にシステムクロックを内蔵して、燃料電池システム１０２の累積発電時間を測定可能な構成とする。制御部３２は、測定された内部抵抗Ｒｉｎから累積発電時間に応じた劣化分の抵抗値ΔＲを減算した補正後の内部抵抗Ｒｃｍｏを求める。そして、内部抵抗Ｒｉｎの代わりに補正後の内部抵抗Ｒｃｍｐを用いて現在の電解質膜の水分量Ｗｎを抽出する。なお、燃料電池システム１００の累積発電時間に対する燃料電池スタック１０の内部抵抗Ｒｉｎの変化は、燃料電池システム１００の発電中（使用中）の内部抵抗Ｒｉｎの変化から取得してもよい。
【００７５】
また、内部抵抗Ｒｉｎの絶対値を用いるのではなく、図１１に示すように、乾燥処理の初期の内部抵抗Ｒｉｎからの内部抵抗Ｒｉｎの変化量ΔＲｔに基づいて現在の電解質膜の水分量Ｗｎを抽出することも好適である。
【００７６】
ステップＳ３６では、燃料電池システム１０２を再起動する時点における外部環境の推定温度Ｔｐｒｅが推定される。燃料電池システム１０２の停止時と再起動時とにおいて外部環境の温度変化が小さい場合、ステップＳ１２で測定された外部温度Ｔｏｕｔをそのまま推定温度Ｔｐｒｅとすることが好適である。また、燃料電池システム１０２の停止時と再起動時とにおいて外部環境の温度変化が大きい場合、第１の実施の形態と同様に、温度変化パターンテーブルを用いることが好適である。
【００７７】
ステップＳ３８では、燃料電池の内部の水分量を低減させる処理が必要か否かが判断される。制御部３２は、記憶部に予め保持されている目標水分量テーブルを参照して、ステップＳ３６で推定された推定温度Ｔｐｒｅに対応する目標水分量Ｗｃを求め、現時点での電解水分量Ｗｎが推定温度Ｔｐｒｅにおける目標水分量Ｗｃを超えているか否かを判定する。電解水分量Ｗｎが目標水分量Ｗｃを超えている場合にはステップＳ４０に処理を移行させ、電解水分量Ｗｎが目標水分量Ｗｃ以下である場合には燃料電池システム１０２を停止させて処理を終了する。
【００７８】
なお、目標水分量テーブルの代わりに、再起動時の外部温度Ｔｏｕｔと再起動時に凍結を生じない内部抵抗Ｒｉｎとの関係を予め目標内部抵抗テーブルとして準備しておくことも好適である。この場合、目標水分量Ｗｃと現在の水分量Ｗｎとの比較に代えて、目標水分量Ｗｃに対応する内部抵抗Ｒｃと現在の水分量Ｗｎに対応する内部抵抗Ｒｏｕｔとを比較して処理を行うか否かを判定する。
【００７９】
ステップＳ４０では、燃料電池の内部の水分量を低減させる処理が行われる。処理は、第１の実施の形態と同様に行うことができる。燃料電池の内部の水分量が低減される状態となるように燃料電池システム１０２の運転条件を変更した後にステップＳ３０に処理を戻す。ステップＳ３０以降では、燃料電池スタック１０の内部抵抗Ｒｉｎ及び外部温度Ｔｏｕｔが再度測定され、電解質膜の水分量Ｗｎが目標水分量Ｗｃ以下となるまで処理が続けられる。
【００８０】
以上のように、本実施の形態では、燃料電池の内部抵抗を測定することによって、内部抵抗と電解質膜の含有水分量との関係に基づいて電解質膜に含有水分量をリアルタイムで評価しながら低減させることができる。短い処理時間で電解質膜に含まれる水分量を必要十分な目標水分量まで低減させることができる。
【００８１】
また、燃料電池システムを停止させた後に低温下で再起動させる際に、燃料電池の内部の水分が凍結しない温度まで暖機されるまでの間に電解質膜の水分量が飽和水分量に達することがなくなり、飽和水分量を超えた水分が電解質膜から放出されて燃料電池の内部で凍結することを防ぐことができる。したがって、低温の外部環境において優れた起動性能を有する燃料電池システムを実現することができる。
【００８２】
なお、外部温度Ｔｏｕｔに基づいて推定温度Ｔｐｒｅを推定し、その推定温度Ｔｐｒｅに応じた目標水分量Ｗｃを決定したが、本実施の形態においても、外部温度Ｔｏｕｔに関わらず目標水分量Ｗｃを所定の値に固定してもよい。例えば、燃料電池システム１０２が使用される環境下において予想される最低の外部温度に応じた目標水分量Ｗｃとする。この場合、外部温度センサ３０を設ける必要はなく、ステップＳ３２及びＳ３６の処理も不要となる。
【００８３】
＜第３の実施の形態＞
第３の実施の形態について説明する。本実施の形態では、燃料電池スタック１０から排出されるガスに含まれる水分を検出して処理を行う。
【００８４】
燃料電池システム１０４は、図１２に示すように、燃料電池スタック１０、燃料ガスボンベ１２、燃料ガス流量調整器１４、燃料ガス加湿器１６、酸化剤ガスボンベ１８、酸化剤ガス流量調整器２０、酸化剤ガス加湿器２２、冷却剤ポンプ２４、水分センサ３６、外部温度センサ３０及び制御部３２を含んで構成される。燃料電池システム１０４は、例えば、電気自動車やハイブリッド自動車に適用される。
【００８５】
燃料電池システム１０４は、水分センサ３６を除いて上記の燃料電池システム１００と同様の構成を有する。ここでは、燃料電池システム１００との相違点を中心に説明を行う。
【００８６】
燃料電池スタック１０には、燃料電池スタック１０から排出されるガスに含有される水分Ｗｏｕｔを測定するための水分センサ３６が設けられる。水分センサ３６の出力信号は制御部３２に入力される。
【００８７】
制御部３２は、水分センサ３６から信号を受けて、信号に応じて燃料電池システム１０４の制御を行う。制御部３２による制御は、記憶部に格納及び保持されたテーブルに基づいて行われる。
【００８８】
本実施の形態では、電解質膜の水分量Ｗと排ガスの水分Ｗｏｕｔとの相関関係を示す水分−水分相関テーブルが用いられる。一般的な燃料電池スタック１０では、図１３に示すように、電解質膜の水分量Ｗが増加するにつれて排ガスの水分Ｗｏｕｔが内増加する傾向を示す。
【００８９】
水分−水分相関テーブルは、燃料電池システム１０４と同等の燃料電池システムを用いて予め測定され、燃料電池システム１０４の制御部３２に設けられた記憶部に格納及び保持される。
【００９０】
次に、燃料電池システム１０４の制御方法について説明する。燃料電池スタック１０の排ガスの水分を検出して燃料電池の内部の水分量を低減させる処理が行われる。本実施の形態における燃料電池システム１０４の制御は、燃料電池の内部において水分が凍結することを防ぐために燃料電池システム１０４を停止させる前に行われる。ユーザ等から燃料電池システム１０４の停止命令を受けると制御部３２は図１４に示す処理を開始する。
【００９１】
ステップＳ５０では、燃料電池スタック１０の排ガスの水分Ｗｏｕｔが測定される。制御部３２は、燃料電池システム１０４を運転状態に維持した状態で、水分センサ３６により測定された燃料電池スタック１０の排ガスの水分Ｗｏｕｔを取得する。
【００９２】
ステップＳ５２では、燃料電池システム１０４を運転状態に維持した状態で、燃料電池スタック１０の外部温度Ｔｏｕｔが測定される。制御部３２は、外部温度センサ３０によって測定された燃料電池スタック１０の外部温度Ｔｏｕｔを取得する。
【００９３】
ステップＳ５４では、測定された排ガスの水分Ｗｏｕｔに基づいて電解質膜が有する現在の水分量Ｗｎが求められる。制御部３２は、記憶部に保持されている水分−水分相関テーブルを参照し、ステップＳ３０で得られた燃料電池スタック１０の排ガスの水分Ｗｏｕｔに対応する水分量を現在の電解質膜の水分量Ｗｎとする。
【００９４】
このように、電解質膜の水分量Ｗと排ガスの水分Ｗｏｕｔとの相関関係を示す水分−抵抗相関テーブルを予め準備しておくことによって、水分センサ３６で測定された排ガスの水分Ｗｏｕｔに基づいて現時点での電解質膜の水分量Ｗｎを推定することができる。
【００９５】
ステップＳ５６では、燃料電池システム１０４を再起動する時点における外部環境の推定温度Ｔｐｒｅが推定される。燃料電池システム１０４の停止時と再起動時とにおいて外部環境の温度変化が小さい場合、ステップＳ５２で測定された外部温度Ｔｏｕｔをそのまま推定温度Ｔｐｒｅとすることが好適である。また、燃料電池システム１０４の停止時と再起動時とにおいて外部環境の温度変化が大きい場合、第１の実施の形態と同様に、温度変化パターンテーブルを用いることが好適である。
【００９６】
ステップＳ５８では、燃料電池の内部の水分量を低減させる処理が必要か否かが判断される。制御部３２は、記憶部に予め保持されている目標水分量テーブルを参照して、ステップＳ５６で推定された推定温度Ｔｐｒｅに対応する目標水分量Ｗｃを求め、現時点での電解水分量Ｗｎが推定温度Ｔｐｒｅにおける目標水分量Ｗｃを超えているか否かを判定する。電解水分量Ｗｎが目標水分量Ｗｃを超えている場合にはステップＳ６０に処理を移行させ、電解水分量Ｗｎが目標水分量Ｗｃ以下である場合には燃料電池システム１０４を停止させて処理を終了する。
【００９７】
なお、目標水分量テーブルの代わりに、再起動時の外部温度Ｔｏｕｔと再起動時に凍結を生じない排ガスの水分Ｗｏｕｔとの関係を予め目標排ガス水分テーブルとして準備しておくことも好適である。この場合、目標水分量Ｗｃと現在の水分量Ｗｎとの比較に代えて、目標水分量Ｗｃに対応する排ガスの水分Ｗｅｃと現在の水分量Ｗｎに対応する排ガスの水分Ｗｏｕｔとを比較して処理を行うか否かを判定する。
【００９８】
ステップＳ６０では、燃料電池の内部の水分量を低減させる処理が行われる。処理は、第１の実施の形態と同様に行うことができる。燃料電池の内部の水分量が低減される状態となるように燃料電池システム１０４の運転条件を変更した後にステップＳ５０に処理を戻す。ステップＳ５０以降では、燃料電池スタック１０の排ガスの水分Ｗｏｕｔ及び外部温度Ｔｏｕｔが再度測定され、電解質膜の水分量Ｗｎが目標水分量Ｗｃ以下となるまで処理が続けられる。
【００９９】
以上のように、本実施の形態では、燃料電池の排ガスの水分を測定することによって、排ガスの水分Ｗと電解質膜の含有水分量との関係に基づいて電解質膜に含有水分量をリアルタイムで評価しながら低減させることができる。したがって、必要十分な処理時間で電解質膜に含まれる水分量を目標水分量Ｗｃまで低減させることができる。
【０１００】
また、燃料電池システムを停止させた後に低温下で再起動させる際に、燃料電池の内部の水分が凍結しない温度まで暖機されるまでの間に電解質膜の水分量が飽和水分量に達することがなくなり、飽和水分量を超えた水分が電解質膜から放出されて燃料電池の内部で凍結することを防ぐことができる。したがって、低温の外部環境において優れた起動性能を有する燃料電池システムを実現することができる。
【０１０１】
なお、外部温度Ｔｏｕｔに基づいて推定温度Ｔｐｒｅを推定し、その推定温度Ｔｐｒｅに応じた目標水分量Ｗｃを決定したが、本実施の形態においても、外部温度Ｔｏｕｔに関わらず目標水分量Ｗｃを所定の値に固定してもよい。例えば、燃料電池システム１０４が使用される環境下において予想される最低の外部温度に応じた目標水分量Ｗｃとする。この場合、外部温度センサ３０を設ける必要はなく、ステップＳ５２及びＳ５６の処理も不要となる。
【０１０２】
＜変形例＞
上記第１〜第３の実施の形態において、燃料電池システムの内部の水分量に応じて燃料電池の内部の水分量を低減させる処理の内容を変更することも好適である。
【０１０３】
燃料電池の内部の水分量が低減されるにつれて、燃料ガスの含有水分量又は流量を調整する第１の方法、酸化剤ガスの含有水分量又は流量を調整する第２の方法、冷却剤の流量又は温度を調整する第３の方法を切り換えて行うことが好ましい。例えば、燃料電池の内部の水分量が高い状態では、第１〜第３の方法のいずれか２以上を適宜組み合わせて行い、燃料電池の内部の水分量が所定の閾値よりも低くなると第１〜第３の方法のいずれか１つのみに切り換える。
【０１０４】
また、燃料電池の内部の水分量が低減されるにつれて、燃料電池の内部の水分量を低減させる処理の条件を緩やかにすることも好適である。例えば、燃料ガスの含有水分量又は流量を調整する第１の方法において、燃料電池の内部の水分量が低減されるにつれて含有水分量を徐々に増加させたり、流量を徐々に増加させたりする。
【図面の簡単な説明】
【０１０５】
【図１】第１の実施の形態における燃料電池システムの構成を示す図である。
【図２】第１の実施の形態における水分−電圧相関データベースの例を示す図である。
【図３】温度と目標水分量との関係を示す目標水分量テーブルの例を示す図である。
【図４】第１の実施の形態における処理のフローチャートを示す図である。
【図５】燃料電池システムが劣化した場合の累積発電時間と出力電圧との関係を示す図である。
【図６】第１の実施の形態における出力電圧の変化量による制御を説明する図である。
【図７】第２の実施の形態における燃料電池システムの構成を示す図である。
【図８】第２の実施の形態における水分−抵抗相関データベースの例を示す図である。
【図９】第２の実施の形態における処理のフローチャートを示す図である。
【図１０】燃料電池システムが劣化した場合の累積発電時間と内部抵抗との関係を示す図である。
【図１１】第２の実施の形態における内部抵抗の変化量による制御を説明する図である。
【図１２】第３の実施の形態における燃料電池システムの構成を示す図である。
【図１３】第３の実施の形態における水分−水分相関データベースの例を示す図である。
【図１４】第３の実施の形態における処理のフローチャートを示す図である。
【符号の説明】
【０１０６】
１０  燃料電池スタック、１２  燃料ガスボンベ、１４  燃料ガス流量調整器、１６  燃料ガス加湿器、１８  酸化剤ガスボンベ、２０  酸化剤ガス流量調整器、２２  酸化剤ガス加湿器、２４  冷却剤ポンプ、２６  電圧センサ、２８  内部温度センサ、３０  外部温度センサ、３２  制御部、３４  抵抗センサ、３６  水分センサ、１００，１０２，１０４  燃料電池システム。
【図１】
2006324066.tif 000003
【図２】
2006324066.tif 000004
【図３】
2006324066.tif 000005
【図４】
2006324066.tif 000006
【図５】
2006324066.tif 000007
【図６】
2006324066.tif 000008
【図７】
2006324066.tif 000009
【図８】
2006324066.tif 000010
【図９】
2006324066.tif 000011
【図１０】
2006324066.tif 000012
【図１１】
2006324066.tif 000013
【図１２】
2006324066.tif 000014
【図１３】
2006324066.tif 000015
【図１４】
2006324066.tif 000016